(57)【要約】【課題】  連絡先情報の表示、すなわち発信又は着信履歴の表示の際、画像の表示非表示を柔軟に切り換えることが可能な携帯電話端末を提供すること。【解決手段】  図１５（ａ）の発信履歴表示状態より図１５（ｃ）→図１５（ｂ）→図１５（ｄ）と操作した場合、図１５（ｂ）からクリアキー１２９を操作すると、バッファ２１１に記憶される操作履歴に従い、図１５（ａ）に戻らず、図１５（ｃ）が表示される。一方、図１５（ａ）の発信履歴表示状態より図１５（ｂ）→図１５（ｄ）と操作した場合、図１５（ｂ）からクリアキー１２９を操作すると、バッファ２１１に記憶される操作履歴に従い、図１５（ａ）が表示される【選択図】      図１５
2007068234.tif 000002
【特許請求の範囲】
【請求項１】
通信相手との通信を行う通信手段を有した携帯電話端末であって、
複数の画像を記憶する画像記憶手段と、
任意に選択された相手先に対しての連絡先情報を含む相手先情報を登録する共に、その相手先に対して上記画像記憶手段に記憶される画像を任意に対応付けて登録したアドレス帳情報を、複数記憶するアドレス帳記憶手段と、
上記通信手段を介して通信を行った際に、その通信相手の連絡先情報とその通信日時とを通信履歴として記憶する通信履歴記憶手段と、
上記通信履歴記憶手段に記憶された各通信履歴毎に、その通信履歴の連絡先情報が上記アドレス帳記憶手段内のアドレス帳情報として記憶されているか否かを検索する第1検索手段と、
上記第1検索手段でアドレス帳情報として記憶されていると検索された相手先のアドレス帳情報に、相手先画像が対応付けて登録されているか否かを検索する第２検索手段と、
上記通信履歴記憶手段に記憶された複数の通信履歴を一覧表示する際は、各相手先毎に、上記第1検索手段と上記第２検索手段との検索に基づき、予め画像が対応付け登録されている相手先の場合には当該登録画像に基づく縮小画像が付加された相手先情報を表示し、予め画像が対応付け登録されていない相手先の場合には、予め用意された所定画像が付加された相手先情報を表示する一覧表示制御手段と、
を備えたことを特徴とする携帯電話端末。
【請求項２】
上記通信履歴記憶手段に記憶された複数の通信履歴を一覧表示する際は、画像無しで一覧表示するのか、画像付で一覧表示するのか、を任意に指定する指定手段を有し、
画像付で一覧表示することが指定された際は、上記一覧表示制御手段に従って一覧表示し、画像無しで一覧表示することが指定された際は、上記通信履歴記憶手段に記憶された複数の通信履歴の各相手先毎に、上記第1検索手段での検索に基づいた相手先情報を一覧表示する、ようにしたことを特徴とする請求項１記載に携帯電話端末。
【請求項３】
コンピュータに、
複数の画像を記憶する画像記憶手段と、
任意に選択された相手先に対しての連絡先情報を含む相手先情報を登録する共に、その相手先に対して上記画像記憶手段に記憶される画像を任意に対応付けて登録したアドレス帳情報を、複数記憶するアドレス帳記憶手段と、
上記通信手段を介して通信を行った際に、その通信相手の連絡先情報とその通信日時とを通信履歴として記憶する通信履歴記憶手段と、
上記通信履歴記憶手段に記憶された各通信履歴毎に、その通信履歴の連絡先情報が上記アドレス帳記憶手段内のアドレス帳情報として記憶されているか否かを検索する第1検索手段と、
上記第1検索手段でアドレス帳情報として記憶されていると検索された相手先のアドレス帳情報に、相手先画像が対応付けて登録されているか否かを検索する第２検索手段と、
上記通信履歴記憶手段に記憶された複数の通信履歴を一覧表示する際は、各相手先毎に、上記第1検索手段と上記第２検索手段との検索に基づき、予め画像が対応付け登録されている相手先の場合には当該登録画像に基づく縮小画像が付加された相手先情報を表示し、予め画像が対応付け登録されていない相手先の場合には、予め用意された所定画像が付加された相手先情報を表示する一覧表示制御手段と、
を機能させるプログラム。
【発明の詳細な説明】
【技術分野】
【０００１】
この発明は、通信相手との通信を行う通信手段を有した携帯電話端末に関する。
【背景技術】
【０００２】
従来より、携帯電話端末は発信、或いは発信者番号表示サービスにより受信した電話番号を表示させる、いわゆる、アドレス帳機能、発信履歴表示機能、及び、着信履歴表示機能を備えている。アドレス帳機能においては、電話番号とその電話番号と対応付けて記憶されている氏名等、この電話番号で特定される連絡先に関する情報を表示し、発信履歴機能、及び着信履歴機能においては、この携帯電話端末にて発信、または着信した電話番号とその発信、着信日時を共に記憶し、ユーザーの操作に応じてリスト状に表示するものである。
【０００３】
一方、近年では、携帯電話に画像表示機能を備えさせることにより、アドレス帳を表示させる際に、対応する顔写真等の画像を表示するものもある。（例えば、特許文献１）
【０００４】
また、画像表示機能に加え、撮像機能を備えさせることにより、発信履歴を表示させる際に、撮像した画像を表示するものもある。（例えば、特許文献２）
【０００５】
【特許文献１】特開２００１−２４７７６号公報
【特許文献２】特開平１１−４１３３９号公報
【発明の開示】
【発明が解決しようとする課題】
【０００６】
しかしながらこのように、アドレス帳や発信又は着信履歴を表示する際に対応する画像を表示させることは、ユーザーに対し直感的に連絡先を把握する上では効果があるが、携帯電話端末のような小型の表示画面を備える機器では、リスト表示させるなどして複数の連絡先を確認する場合、このような画像表示は表示面積を占有することがあった。
【０００７】
また、屋外で使用するなど、極力他人に画像を見られたくないような場合、予め画像を表示させないよう設定してからアドレス帳や発信又は着信履歴を表示させなければならず、ユーザーにとって使い勝手の良いものではなかった。
【０００８】
この発明の課題は、通信履歴の一覧を確認する際、そのアドレス帳に記憶された相手先情報のみならず、その相手の画像も確認できるようにすることである。
【課題を解決するための手段】
【０００９】
請求項１記載の発明は、通信相手との通信を行う通信手段を有した携帯電話端末であって、複数の画像を記憶する画像記憶手段と、任意に選択された相手先に対しての連絡先情報を含む相手先情報を登録する共に、その相手先に対して上記画像記憶手段に記憶される画像を任意に対応付けて登録したアドレス帳情報を、複数記憶するアドレス帳記憶手段と、上記通信手段を介して通信を行った際に、その通信相手の連絡先情報とその通信日時とを通信履歴として記憶する通信履歴記憶手段と、上記通信履歴記憶手段に記憶された各通信履歴毎に、その通信履歴の連絡先情報が上記アドレス帳記憶手段内のアドレス帳情報として記憶されているか否かを検索する第1検索手段と、上記第1検索手段でアドレス帳情報として記憶されていると検索された相手先のアドレス帳情報に、相手先画像が対応付けて登録されているか否かを検索する第２検索手段と、上記通信履歴記憶手段に記憶された複数の通信履歴を一覧表示する際は、各相手先毎に、上記第1検索手段と上記第２検索手段との検索に基づき、予め画像が対応付け登録されている相手先の場合には当該登録画像に基づく縮小画像が付加された相手先情報を表示し、予め画像が対応付け登録されていない相手先の場合には、予め用意された所定画像が付加された相手先情報を表示する一覧表示制御手段と、を備えたことを特徴とする。
【００１０】
請求項２記載の発明は、更に上記通信履歴記憶手段に記憶された複数の通信履歴を一覧表示する際は、画像無しで一覧表示するのか、画像付で一覧表示するのか、を任意に指定する指定手段を有し、画像付で一覧表示することが指定された際は、上記一覧表示制御手段に従って一覧表示し、画像無しで一覧表示することが指定された際は、上記通信履歴記憶手段に記憶された複数の通信履歴の各相手先毎に、上記第1検索手段での検索に基づいた相手先情報を一覧表示する、ようにしたことを特徴とする。
【発明の効果】
【００１１】
本発明によれば、通信相手との過去の通信履歴を一覧表示する際は、その通信履歴の連絡先情報から検索されるアドレス帳の相手先情報を表示するのみならず、当該アドレス帳情報に対して画像の対応付け登録の有無に応じて、その相手先情報に対して更にその登録された画像に基づく縮小画像、あるいは予め用意された画像も合わせて表示するようにしたので、通信履歴の一覧を確認する際、そのアドレス帳に記憶された相手先情報のみならず、その相手の画像も確認することができる。
【発明を実施するための最良の形態】
【００１２】
（第１の実施の形態）
以下、本発明の実施の形態を図面に基づいて説明する。図１は、本発明の一実施の形態に係る携帯電話端末の構成例を示した平面図と背面図である。携帯電話端末１は二つ折りタイプであり、図１（ａ）は蓋を開いた状態の表側を示し、図１（ｂ）は蓋を開いた状態の背面を示している。
【００１３】
図１（ａ）において、携帯電話端末１は、図形や画像等の各種情報を表示する液晶の表示部１１、各種情報の入力や機能指示等を行うキー操作部１２、送話音声を集音するマイク１３、受話音声を出力するスピーカ１４、携帯用の無線プロトコルで使用する周波数帯に対応する通信用のアンテナ１５を備えている。
【００１４】
図１（ｂ）において、蓋が閉じた状態でも簡単なメッセージをユーザーに知らせるためのサブ表示部１６、着信或いは警告等を報知する報知用ＬＥＤ１７、被写体を撮影する撮影レンズ１８、着信音或いは警告音等を出力する報知用スピーカ１９を有している。
【００１５】
また図１（ａ）において、キー操作部１２には、各モードにおいて特定の機能を動作させる場合や、カメラモードを動作させる場合に操作するｓｏｆｔ１／カメラキー１２１、各モードにおいて特定の機能を動作させる場合や、アドレス帳モードを動作させる場合に操作するｓｏｆｔ２／アドレス帳キー１２２、各モード（本実施の形態ではアドレス帳モード）において決定を指示する場合操作するａｃｃｅｐｔキー１２３、各モード（本実施の形態ではアドレス帳モード）において選択操作を行うためのカーソルキー１２４、メールモードを動作させるためのメールキー１２５、インターネット接続を指示するためのＷｅｂキー１２６、オフフックキー１２７、オンフック／電源キー１２８、クリアキー１２９、ダイヤルキー１３０、伝言メモ／ボイス録音キー１３１、マナーキー１３２が配置されている。
【００１６】
図２は、図１に示した携帯電話端末１の回路構成例を示した回路図である。携帯電話端末１の回路は、携帯電話端末１の個別動作及び全体の動作を制御する制御部２１、この制御部２１の制御下において各モードにおけるキー操作部１２の操作履歴を記憶するバッファ２１１、及び、発信操作を検出した場合、後述のＲＡＭ２２のアドレス帳データ格納エリア２２３に格納される電話番号を抽出し、一時的に格納するバッファメモリ２１２、携帯電話端末として必要な各種データを記憶し且つ、制御部２１が動作する上で必要なデータを記憶するＲＡＭ２２、制御部２１を制御する各種プログラム等を記憶するシステムＲＯＭ２３、キー操作部１２のキー押下情報を入力するキー入力部２４、表示部１１を駆動して各種情報を表示させる表示ドライバ（バッファ）２５、各種の音声信号を生成して報知用スピーカ１９より出力する音源回路部２６、報知用ＬＥＤ１７及び着信を振動で知らせる振動発生器２７を駆動するドライバ２８、アンテナ１５を介して基地局（不図示）と無線により音声やデータを送受する無線送受信部２９、無線送受信部２９で受信した音声やデータを復調し或いは、無線送受信部２９から送信する音声やデータを変調する等の無線通信に必要な処理をする無線信号処理部３０、マイク１３から入力された音声信号を符号化処理したり或いは、受話音声信号を復号化する音声信号処理部３１、ユーザーによる各種の設定情報等を記憶する書き替え可能なＲＯＭ（フラッシュＲＯＭ）３２、サブ表示部１６を駆動して簡単なメッセージを表示させる表示ドライバ３３、撮影レンズ１８により撮影した画像をＣＣＤ等で電気信号にする撮像部３４、撮像部３４から得られた電気信号を画像信号にするＤＳＰ３５、撮像部３４で撮像した画像を格納する画像メモリ３６及び画像信号を静止画イメージであればＪＰＥＧ形式に、動画であればＡＭＣ形式（ＭＰＥＧ−４形式に準拠した動画ファイル形式）に圧縮符号化し、また、ＪＰＥＧ形式の画像データや、ＡＭＣ形式のデータを読み込んだ場合は伸張処理する画像処理部３７を有し、これら部品がバス５０により相互に接続されている。
【００１７】
図３は図２に示したＲＡＭ２２の構成例を示した模式図である。ＲＡＭ２２には制御部２１のワークエリア２２０の他に、発信履歴データ格納エリア２２１、着信履歴データ格納エリア２２２、アドレス帳データ格納エリア２２３、リンク情報格納エリア２２４が設定されている。
【００１８】
図４は図３に示した画像メモリ３６の構成例を示した模式図である。この画像メモリ３６のメモリエリア構成は、画像データのレコードＮｏエリア３６１、ファイル名格納エリア３６２、画像データが静止画か動画かのファイル属性を格納するファイル属性格納エリア３６３、…、画像データにリンク情報が設定されているか否かのリンクの有無を示すフラグＡエリア３６４とが一組のレコードとして格納されるようになっており、フラグＡが“１”の場合、リンク有りを示している。
【００１９】
図５（ａ）は、図３に示した発信履歴データ格納エリア２２１の構成例を示した模式図である。同図において、１件の発信履歴レコードはレコードＮｏ．エリア２２１１、発信日時エリア２２１２、アドレス帳データ格納エリア２２３に対応するデータが有るか否かを示すフラグＢエリア２２１３、フラグＢエリア２２１３において“０”すなわち、リンクが無いものとして設定された場合格納される発信時の発信先電話番号エリア２２１４、フラグＢエリア２２１３において“１”すなわち、リンクあるものとして設定された場合、格納される対応するアドレス帳データ格納エリア２２３のレコードＮｏ．が格納されるエリア２２１５、当該発信履歴レコードをユーザーの誤操作により消去不可能にする場合に“１”が設定されるフラグＣ１エリア２２１６及び当該発信が音声発信ではなくショートメッセージサービス（ＳＭＳ）を利用したデータ送信の場合に“１”が設定されるフラグＣ２エリア２２１７で構成される。
【００２０】
これらのデータの格納態様としては、例えば、４月１９日９時５２分にアドレス帳から「秋元洋子」のデータを読み出して対応する電話番号“０９０１２３４５６７８”を発信し、消去ロックをかけた場合、レコードＮｏ.０１の発信日時エリア２２１２には“４月１９日９時５２分”が格納され、フラグＢエリア２２１３に“１”が設定され、発信先電話番号エリア２２１４には何も設定されず、エリア２２１５にはアドレス帳データ格納エリア２２３の「秋元洋子」のレコードＮｏが格納され、フラグＣエリア２２１６に“１”が設定される。また、１２月２３日９時２７分に直接ダイヤルキー１３０の操作を検出することにより０９０２０００１２３４を発信した場合は、レコードＮｏ.０２の発信日時エリア２２１２には“１２月１３日９時２７分”が格納され、フラグＢエリア２２１３に“０”が設定され、発信先電話番号エリア２２１４には“０９０２０００１２３４”が設定され、エリア２２１５には何も設定されず、フラグＣエリアには“０”が設定される。
【００２１】
尚、発信時に、ダイヤルキー１３０により直接入力された電話番号であっても、その後この電話番号と同一の電話番号が後述の図６に示すアドレス帳データ格納エリア２２３にあるかどうかが検索され、あれば対応するレコードＮｏ．が格納され、フラグＢエリア２２１３に“１”が設定される。
【００２２】
例えば、図１５（ｂ）は、１２月１４日２１時１６分にダイヤルキー１３０の直接的な操作を検出することにより、電話番号“０８０２０００５６７８”を発信した直後の発信履歴データ格納エリア２２１を示すものであるが、発信操作の後、この電話番号０８０２０００５６７８に一致するものがアドレス帳データにある場合、この対応するアドレス帳データのレコードＮｏ．が、発信した電話番号に替えて格納され、フラグＢエリアに“１”がセットされる。そしてこの結果、図５（ａ）のような格納状態になる。尚、図３における着信履歴データ格納エリア２２２の構成例も発信履歴データ格納エリア２２１に順じたものになっているが、発信した電話番号に替えて、着信時に受信した発信者番号がまず着信日時に対応付けて格納され、その後、この発信者番号と同一の電話番号がアドレス帳データ格納エリア２２３にあるかどうかが検索され、あれば対応するレコードＮｏ．が格納され、フラグ“１”が設定される。
【００２３】
図６は、図３に示したアドレス帳データ格納エリア２２３の構成例を示した模式図である。同図において、１件のレコードはレコードＮｏ．エリア２２３１、名前エリア２２３２、電話番号エリア２２３３、この電話番号の属性（携帯電話か固定電話か、プライベート用かビジネス用か等）を示す属性エリア２２３４、この属性エリア２２３４の属性内容に応じて設定される属性アイコンエリア２２３５、メールアドレスを格納するメールアドレス格納エリア２２３６、アドレス帳データ内において、何かのグループに属しているか否かによって“１”若しくは“０”が設定されるフラグＤエリア２２３７、このフラグＤエリア２２３７に“１”が設定されている場合にグループを端的に示す表示アイコンが設定されるアイコンエリア２２３８、当該レコードがシークレットデータである場合に“１”が設定されるフラグＥエリア２２３９、及び、アドレス帳機能において必須となるデータに限定されることの無い、携帯電話端末１のユーザーとの関係、例えば友人、親等のデータや誕生日データが格納されるその他情報エリア２２４０で構成される。
【００２４】
図７は、図３に示したリンク情報格納エリア２２４の構成例を示した模式図である。同図において、アドレス帳データ格納エリア２２３に登録されているレコードＮｏ．エリア２２４１と、画像メモリ３６内のレコードＮｏ．が格納されるレコードＮｏ．エリア２２４２とが対応付けられている。
【００２５】
次に本実施の形態の動作について図面を参照して説明する。
【００２６】
図８は着信待受状態においてｓｏｆｔ２／アドレス帳キー１２２の操作を検出することによってアドレス帳モードに移行した場合の画像を登録する動作手順を説明するフローチャートである。発信、着信履歴表示画面に発信先の相手の顔写真等の画像を表示したい場合、或いは着信した相手の顔写真等の画像を表示したい場合は、まず、ユーザーは画像を表示させるよう設定する。
【００２７】
携帯電話端末１は、ｓｏｆｔ２／アドレス帳キー１２２の操作を検出するとアドレス帳モードにて用意される各機能をメニュー表示（不図示）する。するとユーザーは、このメニュー表示を見ることにより、カーソルキー１２４を操作して所望の機能を選択し、ａｃｃｅｐｔキー１２３を押下して決定する。したがって、ユーザーの操作によりメニュー表示よりアドレス帳登録モードへの移行を検出すると、アドレス帳登録モードに移行する。制御部２１はステップＳ１で、アドレス帳登録モードになったかどうかを判断し、アドレス帳登録モードになった場合はステップＳ２で、登録画面を表示部１１に表示し、ユーザーにより入力される電話番号や名前等、連絡先に関する情報をＲＡＭ２２の図３のアドレス帳データ格納エリア２２３に登録する。
【００２８】
ここで、ユーザーは、登録した名前の人物の顔写真等の画像を発信、着信履歴画面に表示したい場合は、更に画像登録を選択することになる。これにより、制御部２１はステップＳ３で画像登録と判断すると、ステップＳ４で、画像メモリ３６にアクセスして、画像選択画面を表示する。この画像選択画面は、画像メモリ３６に格納されている画像データを例えばサムネイルの形で表示する。ユーザーはこの画面を見て、表示する画像を選択すると、制御部２１はステップＳ５で画像選択と判断し、ステップＳ６でアドレス帳登録画面の該当の欄に画像を表示する。
【００２９】
ユーザーはこの画面を見て、それでよい場合は決定操作をし、よくない場合は戻り操作をして再度画像選択に戻す。この操作を受けて、制御部２１はステップＳ７で画像の登録を決定した判断した場合はステップＳ８に進み、そうでない場合はステップＳ４の処理に戻る。
【００３０】
ステップＳ８では、アドレス帳のレコードＮｏ．とこれに関連付けて登録した画像データのレコードＮｏ．をリンクさせるリンク情報（後述する）を生成して、ＲＡＭ２２の図７に示すリンク情報格納エリア２２４に登録し、更に図４に示した画像メモリ３６のフラグＡエリア３６４に“１”を設定して処理を終了する。
【００３１】
次に携帯電話端末１の撮影機能を用いて得た画像を画像メモリ３６に格納する動作について説明する。
【００３２】
図９は撮影画像を画像メモリ３６に格納する手順を示したフローチャートである。ユーザーは被写体を撮影したい時、携帯電話端末１のキー操作部１２を操作してカメラモードに移行する。制御部２１はステップＳ２１で携帯電話端末１がカメラモードになったと判断すると、ステップＳ２２で、撮像部３４で被写体を撮影して得られる電気信号をＤＳＰ３５により画像データとしたものを、ドライバ２５を通して表示部１１にそのままスルー表示する。
【００３３】
その後、制御部２１はステップＳ２３でｓｏｆｔ１／カメラキー１２１の操作を検出したかどうかを判断し、検出されない場合はステップＳ２２の処理に戻り、検出された場合はステップＳ２４で、ｓｏｆｔ１／カメラキー１２１が押された時のＤＳＰ３５から出力されている画像データをＲＡＭ２２のワークエリア２２０に取り込んで一時記憶する。これと共に、この時ＤＳＰ３５により得られる画像データを表示ドライバ２５を介して表示部１１に表示する。
【００３４】
次にステップＳ２５で、ユーザーにファイル名入力指示を表示部１１に表示した後、ステップＳ２６でファイル名の入力決定を検出したかどうかを判断し、検出した場合はステップＳ２８の処理に進み、検出しない場合はステップＳ２７に進んで、キャンセルを検出したかどうかを判断し、キャンセルを検出しない場合はステップＳ２５の処理に戻り、キャンセルを検出した場合はステップＳ２２の処理に戻る。
【００３５】
ステップＳ２８で、取り込んだ画像データを画像処理部３７でＪＰＥＧ形式の静止画ファイルに圧縮符号化し、ファイル属性・静止画を付けて画像メモリ３６に格納する。
【００３６】
尚、上記は携帯電話端末１の撮影機能を用いて画像データを得、これを画像メモリ３６に格納する例について説明したが、画像メモリ３６に格納する画像データは無線送信部２９、無線信号処理部３０を介して他の携帯電話端末からメール等で送って貰った受信画像データでも良いし或いは、ＷＷＷ（World Wide Web）接続機能によりインターネット上のサイトにアクセスし、そのサイトから好みの画像データをダウンロードした画像データでも良い。
【００３７】
次に発信履歴表示画面に発信相手の顔写真を表示する動作手順を図１０のフローチャートを参照して説明する。この動作手順におけるキー操作部１２の操作履歴は当該モードの終了を検出するまで、図２のバッファ２１１に逐次記録される。携帯電話端末１で電話をかけると、制御部２１は発信先の電話番号をＲＡＭ２２の発信履歴データ格納エリア２２１に発信日時と共に順番に格納していく。尚、アドレス帳モードより所望の電話番号を選択して発信した場合、発信履歴には発信した電話番号が格納されるアドレス帳データのレコードＮｏ．が格納され、ダイヤルキー１３０を操作して直接電話番号を入力して発信した場合は、電話番号がまず格納される。その後、制御部２１は発信履歴格納エリア２２１に格納されている電話番号とアドレス帳データ格納エリア２２３に格納されている電話番号とを照合し、アドレス帳データに一致する電話番号があれば、発信した電話番号に替えてアドレス帳データの対応するレコードＮｏ．を記憶させる。
【００３８】
その後、ユーザーはキー操作部１２を操作して発信履歴表示画面を呼び出す操作を行う。制御部２１はステップＳ３１で発信履歴の呼び出しを検出すると、バッファ２１１をクリアして、ステップＳ３２で、図３に示した発信履歴データ格納エリア２２１内を検索して発信日時順に呼び出し、ステップＳ３３で、発信日時及び発信先の電話番号、若しくはアドレス帳データから読み出す場合は発信相手の名前を、図１１に示すような発信履歴をリスト表示する。
【００３９】
ここで、図１１は日時及び発信先（電話番号、若しくは名前）がリスト表示された画面である。同図において、表示部１１には電波受信状態を示すアイコン１１０１、電池残量を示すアイコン１１０２、現在時刻１１０３、“着信履歴”タブ１１０４、“発信履歴”タブ１１０５、リストを順方向に表示遷移させるためのアイコン１１０６、リストを逆方向に表示遷移させるためのアイコン１１０７、図５のレコードＮｏ.エリア２２１１の記憶内容に対応して表示されるレコードＮｏ.１１０８、図５の発信日時エリア２２１２の記憶内容に対応して表示される発信日時１１０９、図５の発信先電話番号エリア２２１４の記憶内容に対応して表示される電話番号１１１０、当該電話番号がアドレス帳データ格納エリア２２３に格納されている場合、図６の属性アイコンエリア２２３５の内容が表示されるアイコン１１１１、当該電話番号がアドレス帳データ格納エリア２２３に格納されている場合、対応する名前エリア２２３２の内容が表示される１１１２、画像付き発信履歴画面の表示指示の際、対応するキーとしてｓｏｆｔ１／カメラキー１２１の操作を促すための表示領域１１１３、詳細データの表示指示の際、対応するキーとしてａｃｃｅｐｔキー１２３の操作を促すための表示領域１１１４、反転表示されているデータの編集／削除／登録等のデータ編集指示の際ｓｏｆｔ２／アドレス帳キー１２２の操作を促すための表示領域１１１５、図５のフラグＣ２エリア２２１７の設定内容に応じて表示されるアイコン１１２９及び図６のアイコンエリア２２３８の内容が表示されるアイコン１１２０が表示されている。
【００４０】
尚、“着信履歴”タブ１１０４、“発信履歴”タブ１１０５、アイコン１１０６及びアイコン１１０７は、カーソルキー１２４、の左右の操作検出により指示内容が入れ替り、発信履歴がリスト表示されている図１１の状態において、例えばカーソルキー１２４の右方向操作を検出すれば、発信履歴データ格納エリア２２１にレコードＮｏ.０５以降のデータが格納されている場合はレコードＮｏ.０５〜０８のデータのリスト表示を行い、カーソルキー１２４の左方向操作を検出すれば着信履歴データ格納エリア２２２のレコードＮｏ.０１〜０４のデータのリスト表示を行う。
【００４１】
この発信履歴のリスト表示画面において、ステップＳ３４でカーソルキー１２４の上下方向の操作を検出することによりユーザーが所望するデータを反転表示させ、ａｃｃｅｐｔキー１２３の操作を検出して詳細表示の指示を検出すると、ステップＳ３５で発信履歴の選択された発信情報部分（反転表示部分）に対応する詳細発信情報を図１２に示すように表示する。
【００４２】
ここで、図１２は図１１のリスト表示画面で選択された発信情報部分の１件のみが画面一杯に表示された状態、すなわち詳細情報の表示態様を示すものである。同図において、表示部１１には、電波受信状態を示すアイコン１１０１、電池残量を示すアイコン１１０２、現在時刻１１０３、“詳細”タブ１１１６、“写真”タブ１１１７、詳細情報をリスト順に応じて順方向に表示遷移させるためのアイコン１１０６、詳細情報をリスト順に逆方向に表示遷移させるためのアイコン１１０７、図５のレコードＮｏ.エリア２２１１の記憶内容に対応して表示されるレコードＮｏ.１１０８、図５のフラグＣ１エリア２２１６の設定内容に応じて表示されるアイコン１１１８、図６のフラグＥエリア２２３９の設定内容に応じて表示されるアイコン１１１９、図６のアイコンエリア２２３８の内容が表示されるアイコン１１２０、過去に同じ電話番号を何回発信したかを示すデータ１１２１、図６の名前エリア２２３２の内容が表示される１１１２、図６の電話番号エリア２２３３の内容が表示される電話番号１１２３、発信履歴データ格納エリア２２１に格納されているこの発信先の過去の発信内容１１２４、当該発信履歴を、新規にアドレス帳データ格納エリア２２３に登録する際、対応するキーとしてｓｏｆｔ１／カメラキー１２１の操作を促すための表示領域１１２５、再度この電話番号を発信させる際、対応するキーとしてａｃｃｅｐｔキー１２３の操作を促すための表示領域１１２６及び反転表示されているデータの編集／削除／登録等のデータ編集指示の際ｓｏｆｔ２／アドレス帳キー１２２の操作を促すための表示領域１１１５が表示されている。
【００４３】
尚、“詳細”タブ１１１６、“写真”タブ１１１７、アイコン１１０６及びアイコン１１０７は、カーソルキー１２４、の左右の操作検出により指示内容が入れ替り、詳細情報が表示されている図１２の状態において、例えばカーソルキー１２４の右方向操作を検出すれば、この表示情報に対し、図７において関連付けされた画像メモリ３６のレコードＮｏ.に対応する画像データの全画面表示を行い、カーソルキー１２４の左方向操作を検出すれば、発信履歴データ格納エリア２２１に次のデータが格納されていればそのデータの詳細表示を行う。
【００４４】
次に上記表示された詳細表示画面で、ユーザーのカーソルキー１２４の左右操作検出による画面右上の「写真」の選択を検出すると、ステップＳ３６にてこの発信情報に関連する画像の表示の指示と判断し、アドレス帳データ格納エリア２２３のこの表示された情報のレコードＮｏ．に対応して画像データのリンク登録（登録あり“１”）がされているかどうかを検索する。
【００４５】
この検索の結果、リンク登録されている場合、制御部２１はリンク情報格納エリア２２４を検索してアドレス帳データ格納エリア２２２のレコードＮｏ．対応でリンクされている画像メモリ３６のレコードＮｏ．をキーとして画像メモリ３６に格納されている画像データを検索する。
【００４６】
即ち、制御部２１は発信履歴データ格納エリア２２１のリンク登録の有無を判断し、更にこのリンク登録されているアドレス帳データのレコードＮｏ．に対応付けて画像メモリ３６のレコードＮｏ．が関連付けられているかを、リンク情報格納エリア２２４を参照して判断し、あった場合、対応して登録されている画像メモリ３６のレコードＮｏ．に基づいてファイル名を検索する。
【００４７】
次に制御部２１は画像メモリ３６のレコードＮｏ．を検索キーとして図４に示した画像メモリ３６のフラグが立っている格納情報欄より検索し、画像データを読み出す。
【００４８】
制御部２１はステップＳ３７で、画像メモリ３６内の上記したファイルに格納されている画像データを読み出してリサイズし、図１４に示すように表示する。なかった場合は、ステップＳ３９でクリアキー１２９の操作の検出の有無をステップＳ３９で判断し、クリアキー１２９の操作を検出した場合はステップＳ３３のリスト表示に戻り、検出しなかった場合はステップＳ３５の詳細発信情報の表示を維持する。
【００４９】
またステップＳ３７の画像データの表示状態より、ユーザーのカーソルキー１２４の左右操作検出による画面左上の「詳細」の選択を検出した場合、ステップＳ３５の詳細発信情報の表示に移行し、検出しなかった場合、画像データの表示を維持する。
【００５０】
一方、ステップＳ３４にて詳細表示の指示を検出しなかった場合は、ステップＳ４０にて、ｓｏｆｔ１／カメラキー１２１の操作を検出の有無を判断する。ｓｏｆｔ１／カメラキー１２１の操作を検出した場合はステップＳ４１に移行し、そうでない場合、更にステップＳ４９にてクリアキー１２９の操作を検出したか否かを判断する。
【００５１】
ｓｏｆｔ１／カメラキー１２１の操作を検出すると、ステップＳ４１にて、リスト表示されている全ての発信履歴データについて、アドレス帳データ格納エリア２２３に対応するデータがあるか否かをフラグＢエリアの設定内容を参照する。そして、リンク情報が有るデータについては、対応する画像データが画像メモリ３６に存在するか否かを判断するため、アドレス帳データのレコードＮｏ．を検索キーとして、リンク情報格納エリア２２４を検索する。
【００５２】
検索した結果、画像データがあるものについては、その画像データを画像メモリ３６から読み出してリサイズするとともに、無いものについては予め用意されたダミー画像を読み出し、ステップＳ４２にて、図１３に示すような画像付き発信履歴画面を表示する。
【００５３】
図１３はステップＳ４２における画像付き発信履歴画面を示すものである。同図において、表示部１１には電波受信状態を示すアイコン１１０１、電池残量を示すアイコン１１０２、現在時刻１１０３、“着信履歴”タブ１１０４、“発信履歴”タブ１１０５、リストを順方向に表示遷移させるためのアイコン１１０６、リストを逆方向に表示遷移させるためのアイコン１１０７、図５のレコードＮｏ.エリア２２１１の記憶内容に対応して表示されるレコードＮｏ.１１０８、図５の発信日時エリア２２１２の記憶内容に対応して表示される発信日時１１０９、図５の発信先電話番号エリア２２１４の記憶内容に対応して表示される電話番号１１１０、当該電話番号がアドレス帳データ格納エリア２２３に格納されている場合、図６の属性アイコンエリア２２３５の内容が表示されるアイコン１１１１、当該電話番号がアドレス帳データ格納エリア２２３に格納されている場合、対応する名前エリア２２３２の内容が表示される１１１２、画像メモリ３６から読み出され、リサイズされた画像データ１１２７、ダミー画像１１２８、図５のフラグＣ２エリア２２１７の設定内容に応じて表示されるアイコン１１２９、図１１に示すような発信履歴のリスト表示指示の際、対応するキーとしてｓｏｆｔ１／カメラキー１２１の操作を促すための表示領域１１３０、詳細データの表示指示の際、対応するキーとしてａｃｃｅｐｔキー１２３の操作を促すための表示領域１１１４、反転表示されているデータの編集／削除／登録等のデータ編集指示の際ｓｏｆｔ２／アドレス帳キー１２２の操作を促すための表示領域１１１５が表示されている。
【００５４】
尚、図１３の表示態様は、上記ステップＳ３３におけるリスト表示に類似するものの、一画面に表示される発信履歴のデータ数が少なくなっている。すなわち、各発信履歴データに画像データを対応付けて表示させるため、一画面当たりデータ数はステップＳ３３と比較して減少するが、画像データをリサイズする際、最低限確認可能な表示範囲にリサイズするので、リスト表示であっても、各データについて誰に発信したのか一目で確認できるようになっている。
この画像付き発信履歴画面において、ステップＳ４３でカーソルキー１２４の上下方向の操作を検出することによりユーザーが所望するデータを反転表示させ、ａｃｃｅｐｔキー１２３の操作を検出して詳細表示の指示を検出すると、ステップＳ４４で発信履歴の選択された発信情報部分（反転表示部分）に対応する詳細発信情報を図１２に示すように表示する。
【００５５】
次に上記表示された詳細表示画面で、ユーザーのカーソルキー１２４の左右方向の操作検出による画面右上の「写真」の選択を検出すると、ステップＳ４５にてこの発信情報に関連する画像の表示の指示と判断し、画像付き発信履歴画面においてリサイズ表示された画像データを拡大表示すべく、再度リサイズする。そして、ステップＳ４６にて、図１２に示すようにリサイズされた画像データ１１３１を表示部１１に表示する。
【００５６】
一方、上記の操作を検出せず、ステップＳ４９にてクリアキー１２９の操作を検出した場合、ステップＳ３３のリスト表示に移行し、操作を検出しない場合、詳細表示を維持する。尚、画像付き発信履歴画面においてダミー画像が表示されている発信履歴データについては、ユーザーのカーソルキー１２４操作検出による画面右上の「写真」の選択、及び、ａｃｃｅｐｔキー１２３の操作による決定を検出しても、ＮＯＰ（Ｎｏ Ｏｐｅｒａｔｉｏｎ）と判断される。
【００５７】
この画像データの表示状態より、ステップＳ４７にて、ユーザーのカーソルキー１２４左右方向の操作検出による画面左上の「詳細」の選択を検出した場合、ステップＳ４４の詳細発信情報の表示に移行し、検出しなかった場合、画像データの表示を維持する。
【００５８】
一方、ステップＳ４９にてクリアキー１２９の操作を検出した場合、当該発信履歴の表示モードをキャンセルしたと判断しバッファ２１１をクリアするが、そうでない場合、ステップＳ３３のリスト表示を維持する。
【００５９】
ここで、上記発信履歴表示画面の切り換えに対して、図１５に示すように更に柔軟に相互に表示画面を切り換えることができる。但し、図１５（ａ）、（ｂ）、（ｃ）、（ｄ）は上記した図１１、図１２、図１３、図１４に相当している。
【００６０】
例えば図１５（ａ）の発信履歴表示状態より図１５（ｃ）→図１５（ｂ）→図１５（ｄ）と操作した場合、図１５（ｂ）からクリアキー１２９を操作すると、バッファ２１１に記憶される操作履歴に従い、図１５（ａ）に戻らず、図１５（ｃ）が表示される。一方、図１５（ａ）の発信履歴表示状態より図１５（ｂ）→図１５（ｄ）と操作した場合、図１５（ｂ）からクリアキー１２９を操作すると、バッファ２１１に記憶される操作履歴に従い、図１５（ａ）が表示される。
【００６１】
つまり、本実施の形態によれば、例えば当該携帯電話端末１を屋外で使用するなど、極力他人に画像を見られたくないような場合、図１５（ａ）→図１５（ｂ）→図１５（ｄ）と操作すれば、図１５（ｃ）の画像付き発信履歴画面を表示することなく複数の発信履歴を一目で確認することができる。一方、画像付きで確認したい場合は、図１５（ａ）→図１５（ｃ）→図１５（ｂ）→図１５（ｄ）と操作すれば、図１５（ｃ）の画像付き発信履歴画面で複数の発信履歴を直感的に理解することができる。
【００６２】
尚、本実施の形態では、発信履歴についてその表示態様を詳述したが、着信履歴を表示するモードについても、発信した電話番号に替えて着信時に受信した発信者番号（発信元を特定する電話番号）を記憶する以外、着信履歴データ格納エリア２２２の構成が上記発信履歴データ格納エリア２２３と同じものであるから、同様の表示態様を実現できる。
【００６３】
図１６は着信履歴内容の詳細表示を例示したものである。同図において、表示部１１には、電波受信状態を示すアイコン１１０１、電池残量を示すアイコン１１０２、現在時刻１１０３、“詳細”タブ１１１６、“写真”タブ１１１７、詳細情報をリスト順に応じて順方向に表示遷移させるためのアイコン１１０６、詳細情報をリスト順に逆方向に表示遷移させるためのアイコン１１０７、着信履歴データのレコードＮｏ.エリアに対応して表示されるレコードＮｏ.１１４１、着信時に応答を検出しなかったか、着信時に応答をキャンセル場合に着信検出からキャンセルまでにかかった時間を明示するためのアイコン１１３２、図５のフラグＣ１エリア２２１６の設定内容に応じて表示されるアイコン１１１８、図６のフラグＥエリア２２３９の設定内容に応じて表示されるアイコン１１１９、図６の名前エリア２２３２の内容が表示される１１１２、図６の電話番号エリア２２３３の内容が表示される電話番号１１２３、着信履歴データ格納エリア２２２に格納されているこの過去の着信内容１１３３、着信検出からキャンセルまでにかかった時間１１３４、当該着信履歴を新規にアドレス帳データ格納エリア２２３に登録する際、対応するキーとしてｓｏｆｔ１／カメラキー１２１の操作を促すための表示領域１１２５、再度この電話番号を発信させる際、対応するキーとしてａｃｃｅｐｔキー１２３の操作を促すための表示領域１１２６及び反転表示されているデータの編集／削除／登録等のデータ編集指示の際ｓｏｆｔ２／アドレス帳キー１２２の操作を促すための表示領域１１１５が表示されている。
【００６４】
また、アドレス帳データ表示モードにおいても、リンク情報格納エリア２２４に格納される関連付け情報を参照するので、発信履歴の場合と同様に柔軟に画像データの表示等を行うことが可能である。
【００６５】
本実施の形態においては、静止画による画像データの表示を発信履歴表示の際に行うことを詳述したがこれに限らず、動画データを表示させても良い。以下、その場合について詳述する。
【００６６】
（第２の実施の形態）
以下、本発明の実施の形態を図１７〜１９を用いて詳述するが、回路構成、及び、発信履歴表示画面に発信相手の顔写真を表示する動作手順については概ね上記第１の実施の形態と同様なので説明は省略する。
【００６７】
先ず、次に携帯電話端末１の撮影機能を用いて得た動画像を画像メモリ３６に格納する動作について説明する。
【００６８】
図１７は撮影した動画像を画像メモリ３６に格納する手順を示したフローチャートである。ユーザーは被写体のムービーを撮影したい時、携帯電話端末１のキー操作部１２を操作してカメラモードに移行する。そして、カメラモードに移行した後、ステップＳ５１にてｓｏｆｔ１／カメラキー１２１の操作を検出することによりモード選択されたか否かを判断し、検出した場合動画撮影を行うムービーモードに移行する。尚、ｓｏｆｔ１／カメラキー１２１の操作を検出しなかった場合は図９のカメラモードの処理に移行する。
【００６９】
ステップＳ５１にてムービーモードへの移行を検出すると、制御部２１はステップＳ５２で、撮像部３４で被写体を撮影して得られる電気信号をＤＳＰ３５により画像データとしたものを、ドライバ２５を通して表示部１１にそのままスルー表示する。
【００７０】
その後、制御部２１はステップＳ５３でｓｏｆｔ１／カメラキー１２１の操作を検出したかどうかを判断し、検出されない場合はステップＳ５２の処理に戻り、検出された場合はステップＳ５４で、ｓｏｆｔ１／カメラキー１２１が押された時点から所定時間、撮影画像を取り込むためのタイマーを起動させ、ステップＳ５５にて、ＤＳＰ３５から順次出力されている画像データをＲＡＭ２２のワークエリア２２０に順次取り込む。またこれと共に、ステップＳ５６にて、順次ワークエリア２２０に入力される画像データについて、ＡＭＣ形式の動画ファイルに作成するために、画像処理部３７にて圧縮符号化する。
【００７１】
動画撮影が完了したか否かの判断については、先ずステップＳ５７にて再度ｓｏｆｔ１／カメラキー１２１が操作されることによるシャッター操作が検出されたか否かで行う。
【００７２】
ステップＳ５７にてシャッター操作が検出されると、その時点で、撮像部３４、ＤＳＰ３５の動作を停止させ、ステップＳ５９にて圧縮符号化された動画ファイルを再度ワークエリア２２０に一時記憶させる。一方、ステップＳ５７にてシャッター操作を検出しなくても、ステップＳ５８にてステップＳ５４で起動させたタイマーがタイムアップしたか否かを判別し、タイムアップした場合はその時点で撮像部３４、ＤＳＰ３５の動作を停止させ、ステップＳ５９にて圧縮符号化された動画ファイルを再度ワークエリアに一時記憶させる。シャッター操作を検出せず、また、タイムアップしていない場合は、再びステップＳ５５の処理に戻る。
【００７３】
ステップＳ５９の状態よりａｃｃｅｐｔキー１２３の操作を検出することにより当該動画ファイルの保存を検出したか否かをステップＳ６０にて判断し、保存を検出した場合にはステップＳ６１にてファイル属性・動画を付けて画像メモリ３６に格納する。
【００７４】
ステップＳ６０にて保存を検出しなかった場合には、更にステップＳ６２においてクリアキー１２９の操作を検出することによるキャンセルの検出の有無を判断する。キャンセルを検出した場合にはステップＳ６３にてワークエリア２２０に一時記憶された動画ファイルを消去しステップＳ５２に戻る。又キャンセルを検出しなかった場合はステップＳ５９に戻る。
【００７５】
次に、発信履歴表示状態において、アドレス帳データ格納エリア２２３の所定のレコードＮｏ.に、図１７にて作成された動画ファイルが対応付けられていた場合について図１８のフローチャートを用いて詳述する。
【００７６】
このフローチャートでは、図１０におけるステップ３６及びステップＳ４５までの動作については、上記第１の実施の形態と同じである。すなわち、図１２の詳細表示状態よりステップＳ３６にて発信情報に関連する画像の表示の指示と判断した場合、アドレス帳データ格納エリア２２３のこの表示された情報のレコードＮｏ．に対応して画像データのリンク登録（登録あり“１”）がされているかどうかを検索する。
【００７７】
リンク登録先として画像メモリ３６内の動画ファイルがあった場合、ステップＳ７１にて対応する動画ファイルを読み出し、画像処理部３７にて伸張処理を行い、ステップＳ７２にて図１９に示すように表示部１１に動画の再生表示を行う。
【００７８】
そしてステップＳ７３にて再生が終了したか否かを判断し、終了を検出すると、自動的にステップＳ３５の詳細発信情報の表示に戻る。また、再生中にステップＳ７４にてａｃｃｅｐｔキー１２３の操作を検出したか否かを判断し、操作を検出すると、続くステップＳ７５にてその検出した時点での再生画面で一時停止する。そしてこの一時停止状態より、ステップＳ７６にて再度ａｃｃｅｐｔキー１２３の操作を検出したか否かを判断し、操作を検出すると、再びその時点から再生表示を行う。
【００７９】
ステップＳ７６にて再度ａｃｃｅｐｔキー１２３の操作を検出しなかった場合、ステップＳ７７にてクリアキー１２９の操作を検出したか否かを判断する。
【００８０】
ステップＳ７７にてクリアキー１２９の操作を検出した場合、動画の再生処理を止めてステップＳ３５の詳細発信情報の表示に戻る。一方、操作を検出しなかった場合はステップＳ７５の一時停止状態を維持する。尚、ステップＳ７４、及びステップＳ７６にてａｃｃｅｐｔキー１２３の操作をそれぞれ検出しなかった場合は、動画再生表示を継続させる。
【００８１】
また、ステップＳ４５の写真表示指示検出より本フローチャートの動作を実行した場合は動画再生表示、及び一時停止表示状態については、上記の動作と同じになるが、再生終了した場合はステップＳ４４の詳細情報表示に移行する。また、動画ファイルが発信履歴情報に対応付けられている場合は図１３における表示態様ではリサイズされた画像データ１１２７の代わりとして、対応する動画ファイルにおける先頭フレーム（Ｉピクチャ）の画像データがリサイズされて表示される。
【００８２】
尚、図１９は、ステップＳ７２における表示態様を示したものである。同図において、表示部１１には、電波受信状態を示すアイコン１１０１、電池残量を示すアイコン１１０２、現在時刻１１０３、“詳細”タブ１１１６、“画像”タブ１１１７、詳細情報をリスト順に応じて順方向に表示遷移させるためのアイコン１１０６、詳細情報をリスト順に逆方向に表示遷移させるためのアイコン１１０７、再生表示されていることを示すインジケーター１１３６、動画再生画面１１３７、トータルの再生時間１１３８、現在表示されている再生時間ゲージ１１３９、当該着信履歴を新規にアドレス帳データ格納エリア２２３に登録する際、対応するキーとしてｓｏｆｔ１／カメラキー１２１の操作を促すための表示領域１１２５、一時停止を指示する際、対応するキーとしてａｃｃｅｐｔキー１２３の操作を促すための表示領域１１４０及びデータの編集／削除／登録等のデータ編集指示の際ｓｏｆｔ２／アドレス帳キー１２２の操作を促すための表示領域１１１５が表示されている。
【００８３】
このように、第２の実施の形態によれば、発信履歴の所定のデータに対応付けて動画ファイルが存在する場合、その発信履歴データから直接的に動画再生ができる他、任意のタイミングで一時停止させることもできる。
【００８４】
尚、本実施の形態では詳述していないが、画像付き発信履歴表示や拡大表示において画像データを表示させる際、画像メモリ３６に格納されている画像データを最適に表示できるようにリサイズしたが、撮像部３４にて撮像された画像をＤＣＦ（Ｄｅｓｉｇｎ ｒｕｌｅ ｆｏｒ Ｃａｍｅｒａ Ｆｉｌｅ ｓｙｓｔｅｍ）規格に基づいて記憶するようにし、この時作成されるサムネイル画像を画像付き発信履歴表示や拡大表示に使用するようにしても良い。
【００８５】
更に又、上記した各実施の形態の動作をプログラム化し、コンピュータに実行させることで実施できる。その際、コンピュータプログラムはフレキシブルディスクやハードディスク等のディスク型記録媒体、半導体メモリやカード型メモリ等の各種メモリ或いは、通信ネットワーク等の各種プログラム記録媒体を通じてコンピュータに供給することができる。
【００８６】
また、本発明は上記実施の形態に限定されることなく、その要旨を逸脱しない範囲において、具体的な構成、機能、作用、効果において、他の種々の形態によっても実施することができ、撮影機能を有するＰＤＡや携帯型のパソコン等の各種形態通信端末に本発明を適用して同様の効果を得ることができる。
【図面の簡単な説明】
【００８７】
【図１】本発明の第１の実施の形態に係る携帯電話端末の構成例を示した平面図と背面図である。
【図２】図１に示した携帯電話端末の回路構成例を示した回路図である。
【図３】図２に示したＲＡＭの構成例を示した模式図である。
【図４】図３に示した画像メモリの構成例を示した模式図である。
【図５】図３に示した発信履歴データ格納エリアの内容例を示した図でありアドレス帳データから発信した例（ａ）、ダイヤルキーにより入力され、発信した話番号が記憶された例（ｂ）を示すものである。
【図６】図３に示したアドレス帳データ格納エリアの内容例を示した図である。
【図７】図３に示したリンク情報格納エリアの内容例を示した図である。
【図８】図１に示した携帯電話端末のアドレス帳に画像を登録する動作手順を示したフローチャートである。
【図９】図１に示した携帯電話端末で撮影した画像を画像メモリに格納する手順を示したフローチャートである。
【図１０】図１の表示部に表示される発信履歴表示画面に発信相手の顔写真を表示する動作手順を示したフローチャートである。
【図１１】図１の表示部に表示される発信履歴表示画面（リスト表示）を示した図である。
【図１２】図１の表示部に表示される詳細表示画面を示した図である。
【図１３】図１の表示部に表示される写真付き発信履歴画面例を示した図である。
【図１４】図１の表示部に表示される画像データの拡大表示画面例を示した図である。
【図１５】図１に示した表示部に表示される発信履歴表示画面の切り換え動作を説明する図である。
【図１６】図１の表示部に表示される着信履歴の詳細表示画面を示した図である。
【図１７】第２の実施の形態における、図１に示した携帯電話端末で撮影した動画像（動画ファイル）を画像メモリに格納する手順を示したフローチャートである。
【図１８】第２の実施の形態における、図１の表示部に表示される詳細表示画面より動画を再生表示する動作手順を示したフローチャートである。
【図１９】第２の実施の形態における、図１の表示部に表示される動画の再生表示画面例を示した図である。
【符号の説明】
【００８８】
１    携帯電話端末
１１  表示部
１２  キー操作部
２１  制御部
２２  ＲＡＭ
２３  システムＲＯＭ
２４  キー入力部
２９  無線送受信部
３０  無線信号処理部
３１  音声信号処理部
３２  ＲＯＭ
３４  撮像部
３５  ＤＳＰ
３６  画像メモリ
１２１  ｓｏｆｔ１／カメラキー
２２１  発信履歴データ格納エリア
２２３  アドレス帳データ格納エリア
２２４  リンク情報格納エリア
【図１】
2007068234.tif 000003
【図２】
2007068234.tif 000004
【図３】
2007068234.tif 000005
【図４】
2007068234.tif 000006
【図５】
2007068234.tif 000007
【図６】
2007068234.tif 000008
【図７】
2007068234.tif 000009
【図８】
2007068234.tif 000010
【図９】
2007068234.tif 000011
【図１０】
2007068234.tif 000012
【図１１】
2007068234.tif 000013
【図１２】
2007068234.tif 000014
【図１３】
2007068234.tif 000015
【図１４】
2007068234.tif 000016
【図１５】
2007068234.tif 000017
【図１６】
2007068234.tif 000018
【図１７】
2007068234.tif 000019
【図１８】
2007068234.tif 000020
【図１９】
2007068234.tif 000021